(57)【要約】【課題】  例えば利用者が新札の出金を希望した場合、紙幣の損耗状態を指定しないで通常の出金した場合より、取引に時間を要する場合があるが、利用者には時間を要するかどうかは分からない。【解決手段】  紙幣を搬送する搬送機構と、紙幣を収納する収納部と、利用者へ表示を行う表示部と、紙幣を利用者へ受け取らせる出金口と、それらを制御する制御部とを備え、前記制御部は、出金取引の際に、前記収納部から前記出金口までの前記紙幣の搬送にかかる出金所要時間を計算し、前記出金所要時間を前記表示部に表示する構成を備える。【選択図】  図１
2013242628.tif 000002
【特許請求の範囲】
【請求項１】
紙幣を搬送する搬送機構と、
紙幣を収納する収納部と、
利用者へ表示を行う表示部と、
紙幣を利用者へ受け取らせる出金口と、
それらを制御する制御部とを備え、
前記制御部は、出金取引の際に、前記収納部から前記出金口までの前記紙幣の搬送にかかる出金所要時間を計算し、前記出金所要時間を前記表示部に表示することを特徴とする現金自動取引装置。
【請求項２】
前記紙幣を前記収納部へ搬送する際に、紙幣の金種、真偽、前記紙幣の損耗状態を鑑別する鑑別部と、
前記収納された紙幣の損耗状態を該紙幣毎および収納された順番毎に対応付けて記憶する記憶部と、
利用者の入力を受け付ける入力部とを備え、
前記制御部は、前記入力部に出金金額の入力を受け付けた場合、
前記記憶部を参照し、前記出金金額と前記紙幣の消耗状態に応じた出金形態に対応する出金所要時間とをそれぞれ算出し、前記出金形態に対応する出金所要時間をそれぞれ前記表示部に表示することを特徴とする請求項１記載の現金自動取引装置。
【請求項３】
前記出金形態は、前記収納庫に収納された紙幣を順番に出金する通常出金と、前記記憶部に記憶された前記紙幣の消耗状態を参照し、前記紙幣の消耗状態に対応した組合せの紙幣を選択して出金する選択出金とを有し、
前記表示部に前記通常出金または前記選択出金と対応する前記出金形態に対応する出金所要時間とを表示することを特徴とする請求項２記載の現金自動取引装置。
【請求項４】
前記記憶部は、取引の開始時刻と該取引の終了時刻とを記憶し、
前記記憶部に記憶した第１の取引の終了時刻と、次に行われた第２の取引の開始時刻とを参照し、前記第１の取引と前記第２の取引の間隔が所定の値よりも短い場合、前記紙幣の消耗状態を選択させず出金を行うことを特徴とする請求項３に記載の現金自動取引装置。
【請求項５】
前記出金形態に対応する出金所要時間が選択出金許容時間よりも短い場合、前記選択出金を行うことを特徴とする請求項４記載の自動取引装置。
【請求項６】
前記紙幣を前記収納部へ搬送する際に、紙幣の金種、真偽を鑑別し、前記紙幣の画像を読取る鑑別部と、
前記読取られた画像を該紙幣毎および収納された順番毎に対応付けて記憶する記憶部と、
利用者の入力を受け付ける入力部とを備え、
出金をする際に、前記表示部に前記記憶部から画像が表示された紙幣から、出金する紙幣を選択して入力する出金紙幣選択部と、
前記出金紙幣入力部からの入力に基づいて、前記収納部に収納された紙幣の中から、前記選択された紙幣を、前記出金口に搬出する出金制御部と、
を備える請求庫１記載の現金自動取引装置。
【請求項７】
利用者が前記出金紙幣入力部により紙幣を選択するたびに、前記表示部の出金所要時間を更新することを特徴とする、請求項６記載の現金自動取引装置。
【請求項８】
前記記憶部は、取引の開始時刻と該取引の終了時刻とを記憶し、
前記記憶部に記憶した第１の取引の終了時刻と、次に行われた第２の取引の開始時刻とを参照し、第１の取引と第２の取引の間隔が所定の値よりも短い場合、紙幣の画像を選択させず出金を行うことを特徴とする請求項６または７に記載の現金自動取引装置。
【請求項９】
紙幣を一時的に保管する一時保管部を備え、
前記記憶部に記憶する紙幣の消耗状態応じて前記一時保管部および前記出金口のいずれかに収納部に収納されている紙幣を繰り出し、消耗状態に応じた順番に収納順序を入れ替えることを特徴とする請求項２から５のいずれか記載の現金自動取引装置。
【請求項１０】
前記鑑別部は、紙幣の消耗状態を鑑別し、
紙幣を一時的に保管する一時保管部を備え、
前記記憶部に記憶する紙幣の消耗状態応じて、前記一時保管部および前記出金口のいずれかに収納部に収納されている紙幣を繰り出し、消耗状態に応じた順番に収納順序を入れ替えることを特徴とする請求項６から８のいずれか記載の現金自動取引装置。
【発明の詳細な説明】
【技術分野】
【０００１】
本発明は、現金自動取引装置に関する。
【背景技術】
【０００２】
本技術分野の背景技術として、特開２００５−１８７０９号公報（特許文献１）がある。この公報には、「紙幣取扱装置において、装置の大型化を抑制しつつ、紙幣の損耗状態を考慮した入出金を可能とする」と記載されている。
【先行技術文献】
【特許文献】
【０００３】
【特許文献１】特開２００５−１８７０９号公報
【発明の概要】
【発明が解決しようとする課題】
【０００４】
特許文献１に記載された紙幣取扱装置は、例えば利用者が新札の出金を希望した場合、紙幣の損耗状態を指定しないで通常の出金した場合より、取引に時間を要する場合があるが、利用者には時間を要するかどうかは分からない。また、紙幣取扱装置の利用者が多く混雑している場合には、損耗状態を指定した出金は比較的時間を要するため、混雑を助長する恐れがある。
そこで、本発明は、出金に要する時間を表示する現金自動取引装置を提供する。
【課題を解決するための手段】
【０００５】
上記課題を解決するために、本願は上記課題を解決する手段を複数含んでいるが、その一例を挙げるならば、紙幣を搬送する搬送機構と、紙幣を収納する収納部と、利用者へ表示を行う表示部と、紙幣を利用者へ受け取らせる出金口と、それらを制御する制御部とを備え、前記制御部は、出金取引の際に、前記収納部から前記出金口までの前記紙幣の搬送にかかる出金所要時間を計算し、前記出金所要時間を前記表示部に表示する構成を備える。
【発明の効果】
【０００６】
本発明によれば、出金した場合の取引時間を表示する構成としたため、出金に時間を要する場合には、利用者が速やかに通常の出金を選択することもできる。
上記した以外の課題、構成及び効果は、以下の実施形態の説明により明らかにされる。
【図面の簡単な説明】
【０００７】
【図１】現金自動取引装置の概観を示す説明図である。
【図２】紙幣取扱装置の概略構成を示す側断面図である。
【図３】現金自動取引装置の機能ブロックを示す説明図である。
【図４】収納庫に収納されている紙幣の損耗状態のテーブルである。
【図５】表示キーデータの内容を示す説明図である。
【図６】紙幣装填処理のフローチャートである。
【図７】入金制御処理のフローチャートである。
【図８】取引全体の概略を示すフローチャートである。
【図９】出金制御処理のフローチャートである。
【図１０】繰り出し処理のフローチャートである。
【図１１】収納庫に収納されている紙幣の損耗状態のテーブルの例である。
【図１２】収納庫に収納されている紙幣の損耗状態と画像のテーブルの例である。
【図１３（ａ）】実施例２の出金制御処理のフローチャートである。
【図１３（ｂ）】実施例２の出金制御処理のフローチャートである。
【図１４】出金方法選択画面の図である。
【図１５】出金可能紙幣表示画面の図である。
【図１６】出金紙幣選択画面の図である。
【図１７】出金制御処理のフローチャートである。
【図１８】紙幣入替処理のフローチャートである。
【図１９】紙幣入替処理後の収納庫に収納されている紙幣の損耗状態のテーブルの例である。
【発明を実施するための形態】
【０００８】
以下、実施例を図面を用いて説明する。
【実施例１】
【０００９】
本実施例では、出金時に利用者からの出金する紙幣の損耗状態に関する要求を入力し、出金に先立ち、前記出金する紙幣の損耗状態に関する要求に沿って出金を実行した場合に要する時間と、前記要求に沿わず通常の出金を実行した場合に要する時間を表示し、前記要求に沿った出金を実行するか通常の出金を実行するかを利用者が選択できる現金自動取引装置２００の例を説明する。
【００１０】
図１は、本実施例の現金自動取引装置の概観を示す説明図である。この現金自動取引装置（以下、ＡＴＭと呼ぶ）２００は、銀行やコンビニエンスストアなどに設置され、利用者の操作に応じて入出金処理を行うための装置である。
ＡＴＭ２００は、図示するように、操作部２０３や、通帳取扱機構２０４や、カード取扱機構２０５や、明細票発行機構２０６や、紙幣入手金口２０７や、紙幣取扱装置１００などを備えている。
【００１１】
操作部２０３は、入出金取引のための情報表示および入出金のための操作入力を行うための利用者とのインタフェースである。本実施例では、タッチパネルを用いるものとしたが、ディスプレイと押しボタンスイッチなどの組み合わせで構成してもよい。
通帳取扱機構２０４は、通帳を取り扱い、取引に応じて、通帳に記されたマークなどの読み取りや、印字処理などを行う。
【００１２】
カード取扱機構２０５は、いわゆるキャッシュカードなど磁気ストライプカードに記録された情報を読み取る。カードに記録された情報には、例えば、金融機関番号、科目、利用者の口座番号などが含まれる。
【００１３】
利用者との紙幣の授受は、紙幣入出金口２０７を通じて行われる。入金時には、利用者が紙幣入出金口２０７に入れた紙幣は、ＡＴＭ２００に備えられた紙幣取扱装置１００によって、鑑別され、金種ごとに分類されて保管される。出金時には、紙幣取扱装置１００は、利用者の指示した金額分の紙幣を繰り出し、紙幣入出金口２０７から利用者に受け渡す。
明細書発行機構２０６は、取引に応じて、その内容を記録した明細票を発行する。
【００１４】
本実施例のＡＴＭ２００は、折り目や、しわや、汚れのない紙幣（以下、新札と呼ぶ）を、他の紙幣と区別して取り扱い可能である。表示パネル２１０は、ＡＴＭ２００が新札を出金可能なときに、その旨を表示する。こうすることによって、利用者は、表示パネル２１０を見て、当該ＡＴＭを利用するか否かを判断することができる。なお、操作部２０３に新札を出金可能な旨を表示するようにしてもよい。
【００１５】
ＡＴＭ２００の各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、ＡＴＭ２００全体の動作を制御する。制御ユニット２０２は、ホストコンピュータ４００と通信回線で接続されている。制御ユニット２０２が、取引に関する情報をホストコンピュータ４００に送信することにより、利用者の口座への入出金などの処理がホストコンピュータ４００側で行われる。
【００１６】
図２は、紙幣取扱装置１００の概略構成を示す側断面図である。紙幣取扱装置１００は、入金された紙幣を以後の出金に再利用するいわゆる還流型の装置である。紙幣取扱装置１００は、図示するように上部ユニット１１０と金庫部１５０とから構成されている。
【００１７】
金庫部１５０は、厚板の金属で覆われ、堅牢に構成されている。金庫部１５０には、出金に使用できる正常な紙幣（以下、真券と呼ぶ）を保管するための収納庫１７０、１７１と、損傷がひどい、偽券である、など取引に不適な紙幣（以下、リジェクト紙幣と呼ぶ）を保管するリジェクト庫１６０が備えられている。
【００１８】
収納庫１７０は、万円札を収納するための万円庫であり、収納庫１７１は、千円札を収納するための千円庫である。収納庫１７０、１７１およびリジェクト庫１６０には、庫内での紙幣の配列順序が混乱しないように、紙幣を整然と保持するための可動式の押板１７０Ａ、１７１Ａ、１６０Ａがそれぞれ設けられている。
【００１９】
本実施例では、各収納庫１７０、１７１は、後から搬入された紙幣が先に搬出される構造となっている。各収納庫１７０、１７１は、先に搬入された紙幣が先に搬出される構造としてもよい。また、金庫部１５０に、さらに、五千円札を収納するための五千円庫を備えるようにしてもよい。
【００２０】
なお、本実施例では、リジェクト庫１６０は、収納庫１７０、１７１への紙幣の装填時や、収納庫１７０、１７１からの紙幣の回収時にも利用されるので、装填回収庫１６０とも呼ぶが、リジェクト庫１６０とは別に装填回収を行う装填回収庫を設けてもよい。
【００２１】
上部ユニット１１０の構造は次の通りである。入出金部１１１は、利用者との紙幣の授受を行うための空隙である。入出金部１１１の入り口には、シャッタ１１６が設けられている。このシャッタ１１６は、先に説明したＡＴＭ２００の紙幣入出金口２０７と連動して自動的に開閉する。また、入出金部１１１には、紙幣の有無を検出するための図示しないセンサが備えられている。
【００２２】
鑑別部１２６は各紙幣について、金種、真偽を鑑別し、その結果を出力する。鑑別は、紙幣をスキャンして得られる画像データ、磁気特性など種々の情報を利用して行うことができる。また、本実施例では、鑑別部１２６は、紙幣の損耗状態について、「新札」と、「比較的きれい」と、「シワあり」との３段階に鑑別する。
【００２３】
さらに多くの段階に鑑別するようにしてもよい。紙幣の損耗状態を鑑別するためのセンサとしては、接触型センサ、反射型センサ、透過型センサ、カラーセンサ、赤外線センサなど、種々のセンサを用いることができる。複数のセンサを組み合わせて鑑別を行うものとしてもよい。
【００２４】
上部ユニット１１０内には、入出金の過程で紙幣を一時的に保管するための一時保管庫１２２が用意されている。一時保管庫１２２は、搬送された順に紙幣を保管し、その逆の順序で紙幣を繰り出すことができる。
【００２５】
本実施例では、回転ドラムの周囲に巻き付けるベルトによって紙幣を保持する機構を利用した。一時保管庫１２２は、２００枚の紙幣を一時保管することができる。なお、一時保管庫１２２については、各収納庫と同様の集積・排出をする構成であってもよい。また、一時保管庫の収納枚数はこれに限定しない。
【００２６】
紙幣取扱装置１００内での紙幣の搬送は、搬送部１４０よって行われる。搬送部１４０は、ローラ、ベルトなどの搬送機構を利用して、紙幣を搬送するための機構である。搬送部１４０の経路には、紙幣の搬送先を切り換えるためのゲート１４１、１４２、１４３や、複数の通過センサ１４５が設けられている。ゲート１４１は、一時保管庫１２２と入出金部１１１との間で搬送先の切り換えを行う。ゲート１４２は、搬送先をリジェクト庫１６０に切り換える。ゲート１４３は、搬送先を各収納庫１７０、１７１間で切り換える。  なお、図示してはいないが紙幣取扱装置１００の内部には制御ユニットが備えられている。制御ユニットは、内部にＣＰＵ、メモリを備えるマイクロコンピュータとして構成されており、予め用意されたプログラムに従って、紙幣取扱装置１００の動作を制御する。  図３は、ＡＴＭ２００の機能ブロックを示す説明図である。図中の各機能ブロックは、制御ユニット２０２内に、それぞれソフトウェア的に構築されている。これらの機能ブロックは、ハードウェア的に構成することも可能である。
【００２７】
ＡＴＭ２００の機能ブロックは、主制御部３０１の制御下で、それぞれ次の機能を奏する。通信部３０２は、ホストコンピュータ４００との通信を制御する。鑑別実行部３０３は、鑑別部１２６を用いて、紙幣の鑑別を行う。入出金制御部３０４は、入出金時の紙幣の搬送を制御する。インタフェース制御部３０５は、操作部２０３への画面提示、および、利用者による操作の入力を行う。このインタフェース制御部１０５は、本発明における要求入力部と、出金時間出力部と、画像出力部に相当する。カード、通帳取扱制御部３０６は、キャッシュカード、通帳などから、取引対象となる金融機関番号、科目、利用者の口座番号を入力し、通帳への記帳を行う。
【００２８】
紙幣データ記憶部３０７は、鑑別部１２６での鑑別結果に基づいて、各収納庫１７０、１７１に収納されている紙幣について、紙幣の損耗状態を紙幣ごとに記憶する。表示キーデータ記憶部３０８は、操作部２０３に、出金時に利用者が紙幣の損耗状態を選択する画面を表示させるための表示キーデータを記憶する。
【００２９】
時計部３０９は、現在の時刻を保持する。取引開始時刻記憶部３１０は、利用者が取引を開始したときに、時計部３０９が保持している現在時刻を記憶する。取引終了時刻記憶部３１１は、利用者による取引が終了したときに、時計部３０９が保持している現在時刻を記憶する。
【００３０】
図４は、紙幣データ記憶部３０７に記憶されるデータの内容を示す説明図である。紙幣データ記憶部３０７は、収納庫１７０に収納された万円札に関する万円庫紙幣データテーブルと、収納庫１７１に収納された千円札に関する千円庫紙幣データテーブルとを記憶している。
【００３１】
図示するように、各データテーブルには、何枚目にどのような損耗状態の紙幣が収納されているのかが記録される。「１枚目」、「２枚目」、・・・とは、各収納庫１７０、１７１に搬入された順番を表している。「損耗状態」の「Ｓ」、「Ａ」、「Ｂ」は、それぞれ鑑別部１２６での鑑別結果であり、その紙幣が「新札」、「比較的きれい」、「シワあり」に相当する紙幣であることを示している。
【００３２】
なお、本実施例では、各紙幣の損耗状態をテーブルの形式で記憶するものとしたが、収納庫内のどこにどのような紙幣が収納されているのかが分かれば、他の形式で記憶するものとしても良い。また、「損耗状態」についても３つの分類に限定せずもっと別の分類であっても良い。
【００３３】
図５は、表示キーデータ記憶部３０８に記憶される表示キーデータの内容を示す説明図である。このデータは、収納庫１７０、１７１ごとに記憶され、引き出しなどの出金を伴う取引時に読み出され、後述する出金方法選択画面の表示処理に利用される（図１４参照）。収納庫に「新札」に相当する紙幣が収納されていれば、「「新札」キー表示」の項目は「あり」である。収納庫に「比較的きれい」に相当する紙幣が収納されていれば、「「比較的きれい」キー表示」の項目は「あり」である。
【００３４】
「「新札」キー表示」、「「比較的きれい」キー表示」のいずれかが「あり」の場合には、利用者は、紙幣の損耗状態の選択が可能である。「「新札」キー表示」、「「比較的きれい」キー表示」のどちらにも「あり」がない場合には、利用者が紙幣の損耗状態を選択する余地がない。なお、詳細については後述するがＡＴＭ２００が所定の時間経過する前に次の取引が始まったことを検知した場合、取引が増加したと認識し、「新札」「比較的きれい」に相当する紙幣が収納されていたとしても表示されない場合がある。
【００３５】
図６は、紙幣装填処理の流れを示すフローチャートである。ＡＴＭ２００の係員が装填回収庫１６０に装填すべき紙幣を収納し、紙幣装填処理を開始するための所定の操作を行ったときに、制御ユニット２０２が実行する処理である。この処理の少なくとも一部を、紙幣取扱装置１００の制御ユニットが実行するものとしてもよい。
【００３６】
制御ユニット２０２は、まず、装填回収庫１６０から一時保管庫１２２に紙幣を１枚ずつ繰り出す（ステップＳ１００）。そして、装填回収庫１６０が空になったか否か、一時保管庫１２２が満杯になったか否かを判断する（ステップＳ１１０）。装填回収庫１６０に紙幣が残存しており、かつ、一時保管庫１２２が満杯でなければ、装填回収庫１６０からの紙幣の繰り出しを継続する。
【００３７】
ステップＳ１１０において、装填回収庫１６０が空になったか、あるいは、一時保管庫１２２が満杯になったら、一時保管庫１２２から鑑別部１２６へ紙幣を１枚繰り出し（ステップＳ１２０）、鑑別処理を行う（ステップＳ１３０）。先に説明したように、鑑別処理では、金種や、真偽の鑑別とともに、紙幣の損耗状態の鑑別を行う。
【００３８】
そして、鑑別結果に基づいて、紙幣の損耗状態を、紙幣データ記憶部１０７の金種に対応する各紙幣データテーブルに記憶し（ステップＳ１４０）、鑑別済みの紙幣を、金種に対応する各収納庫に収納する（ステップＳ１５０）。つまり、各収納庫１７０、１７１には、様々な損耗状態の紙幣が収納される。
【００３９】
次に、一時保管庫１２２が空になったか否かを判断する（ステップＳ１６０）。一時保管庫１２２に紙幣が残存していれば、ステップＳ１２０〜Ｓ１６０の処理を繰り返す。一時保管庫１２２が空になった場合には、装填回収庫１６０が空になったか否かを判断する（ステップＳ１７０）。装填回収庫１６０に紙幣が残存していれば、ステップＳ１００〜Ｓ１７０の処理を繰り返す。装填回収庫１６０が空になった場合には、表示キーデータ記憶部３０８の内容を更新し（ステップＳ１８０）、紙幣装填処理を終了する。
【００４０】
以上説明した紙幣装填処理によって、紙幣データ記憶部３０７に各収納庫１７０、１７１のどこにどのような損耗状態の紙幣が収納されているのかを記憶することができる。したがって、後述する繰り出し処理時に紙幣データ記憶部３０７を参照することによって、利用者から要求された損耗状態の紙幣を速やかに出金することができる。
【００４１】
なお、本実施例では、上述した紙幣装填処理において、装填回収庫１６０から繰り出した全紙幣について、鑑別処理を行うものとしたが、例えば、装填する紙幣がすべて新札であることが予め分かっている場合などには、鑑別処理を省略することも可能である。この場合、例えば、装填する紙幣が新札であることを、ＡＴＭ２００の係員が入力するようにすればよい。
【００４２】
図７は、入金制御処理の流れを示すフローチャートである。利用者が「預入れ」、「現金での振り込み」など、入金を伴う取引を選択した時に、制御ユニット２０２が実行する処理である。この処理の少なくとも一部を、紙幣取扱装置１００の制御ユニットが実行するものとしてもよい。
【００４３】
制御ユニット２０２は、利用者によって入出金部１１１に紙幣が投入され、入金取引が開始されると（ステップＳ２００）、入出金部１１１から紙幣を順次繰り出し（ステップＳ２１０）、鑑別部１２６で紙幣の金種や、真偽の鑑別を行うとともに、入金額の計数処理を行う（ステップＳ２２０）。
【００４４】
このとき、真券は、一時保管庫１２２に搬送する（ステップＳ２３０）。また、リジェクト紙幣は、リジェクト庫１６０に搬送され（ステップＳ２３０）、後から入出金部１１１に返却される。そして、入出金部１１１の紙幣が空になったら（ステップＳ２３５）、操作部２０３に計数結果を表示し、利用者からの入金指示を入力する（ステップＳ２４０）。
【００４５】
次に、図６のステップＳ１２０〜Ｓ１６０と同様の処理を行い（ステップＳ２５０〜Ｓ２８５）、表示キーデータ記憶部１０８の内容を更新し（ステップＳ２９０）、入金制御処理を終了する。
【００４６】
以上説明した入金制御処理によって、入金取引時に、先に説明した紙幣装填処理と同様に、各収納庫１７０、１７１のどこにどのような損耗状態の紙幣が収納されているのかを、紙幣データ記憶部１０７に記憶することができる。
【００４７】
図８は、ＡＴＭ２００の、取引の流れの概略を示すフローチャートである。利用者が取引を開始してから終了するまでに、制御ユニット２０２が実行する処理である。
【００４８】
制御ユニット２０２は、操作部２０３から取引内容が入力されたら（ステップＳ３００）、時計部３０９から現在の時刻を取得し、取引開始時刻記憶部３１０に記憶させる（ステップＳ３１０）。利用者が入力した取引の内容が「引き出し」であれば（ステップＳ３１５）、引き出し処理を実行し（ステップＳ３２０）、引き出し処理が終了したら、時計部３０９から時刻を取得し、取得した時刻を取引終了時刻記憶部３１０に記憶させる（ステップＳ３８０）。
【００４９】
利用者が他の取引を入力した場合も同様に、取引の内容に応じて、預入れ処理（ステップＳ３３０）、残高照会処理（ステップＳ３４０）、通帳記入処理（ステップＳ３５０）、振込処理（ステップＳ３６０）、振替処理（ステップＳ３７０）、のいずれかを実行し、それぞれの取引が終了したら、時計部３０９から時刻を取得し、取得した時刻を取引終了時刻記憶部１１０に記憶して（ステップＳ３８０）、取引を終了する。
【００５０】
以上説明した取引の流れにより、取引開始時刻記憶部３１０には常に最新の取引開始時刻が記録され、取引終了時刻記憶部３１１には常に最新の取引終了時刻が記録される。
【００５１】
図９は、出金制御処理の流れを示すフローチャートである。利用者が「引き出し」など、出金を伴う取引を選択したときに、制御ユニット２０２が実行する処理である。図８においては、ステップＳ３２０の引き出し処理で実行される。この処理の少なくとも一部を、紙幣取扱装置１００の制御ユニットが実行するものとしてもよい。
【００５２】
制御ユニット２０２は、操作部２０３に出金金額が入力されると（ステップＳ４００）、取引開始時刻記憶部３１０から今回の取引の開始時刻、取引終了時刻記憶部３１１から前回の取引が終了した時刻を取得し、前回の取引終了から今回の取引開始までに、例えば３０秒以上が経過しているかを判定する（ステップＳ４０５）。前回の取引から３０秒以上経過していたら、表示キーデータ記憶部３０８から表示キーデータを取得する（ステップＳ４１０）。
【００５３】
そして、「「新札」キー表示」、「「比較的きれい」キー表示」のいずれかが「あり」であれば、利用者が出金する紙幣の損耗状態を指定した場合の出金に要する時間と、紙幣の損耗状態にこだわらず、通常の出金を行った場合に要する時間を求める（ステップＳ４２０）。
【００５４】
紙幣取扱装置１００は、例えば、紙幣を１００ｍｓごとに１枚の速さで繰り出し、搬送部１４０により紙幣を１６００ｍｍ／ｓの速度で搬送するものとする。そうすると、後述する繰り出し処理において、例えば万円３枚を通常繰り出しで出金する場合、収納庫１７０から入出金部１１１までの搬送部１４０の長さが、例えば８００ｍｍとすると、収納庫１７０から万円３枚を繰り出し終えるのに、１００ｍｓ×３枚＝３００ｍｓ、最後に繰り出した紙幣を入出金部１１１に収納するのに８００ｍｍを１６００ｍｍ／ｓで搬送するので、８００ｍｍ÷１６００ｍｍ／ｓ＝５００ｍｓかかり、合計では、３００ｍｓ＋５００ｍｓ＝８００ｍｓかかることになる。
【００５５】
一方、例えば、収納庫１７０に収納されている紙幣が図１１の万円庫紙幣データテーブルに示す損耗状態のときに「新札」を指定して選択繰り出しする場合、図１１において省略されている８枚目から９８枚目には損耗状態Ｓの紙幣が無かったとすると、２枚目、４枚目、１００枚目の紙幣を出金することになる。そうすると、収納庫１７０から万円１００枚を繰り出し終えるのに１００ｍｓ×１００枚＝１０ｓ、最後に繰り出した紙幣を入出金部１１１に収納するのに８００ｍｍ÷１６００ｍｍ／ｓ＝５００ｍｓかかり、合計では１０ｓ＋５００ｍｓ＝１０．５ｓかかることになる。
【００５６】
このように、ステップＳ４２０では、紙幣の繰り出し速度と、繰り出す紙幣の枚数と、紙幣を搬送する距離の長さと、紙幣を搬送する速度から、出金に要する時間を算出する。
【００５７】
次に、対応するキーと、出金に要する時間を表示し（ステップＳ４２５）、さらに通常出金キーを表示する（ステップＳ４３０）。紙幣の損耗状態に選択の余地が無い場合は、通常出金キーのみを表示する（ステップＳ４３０）。また、前回の取引終了から今回の取引開始までに経過した時間が３０秒未満であったら、混雑しているとみなして、処理時間のかかる紙幣の損耗状態の選択を利用者に行わせないこととし（ステップＳ４０５）、通常出金キーのみを表示する（ステップＳ４３０）。
【００５８】
ステップＳ４２５と、ステップＳ４３０により表示される出金方法選択画面の例を図１４に示す。ここでは、出金金額として「２３，０００円」が入力された場合について示した。  表示キーデータの「「新札」キー表示」が「あり」の場合は、キーＢ２を表示し、「「新札」キー表示」が「なし」の場合は、キーＢ２を表示しない。また、表示キーデータの「「比較的きれい」キー表示」が「あり」の場合は、キーＢ３を表示し、「「比較的きれい」キー表示」が「なし」の場合は、キーＢ３を表示しない。キーＢ１は、表示キーデータの内容にかかわらず、必ず表示する。
【００５９】
このとき、紙幣データ記憶部１０７に記憶されている紙幣の損耗状態が図１１のとおりであるとすると、通常出金の場合は万円札を２枚、千円札を３枚繰り出す。紙幣の繰り出しは万円札、千円札の順に行い、収納庫１７１から入出金部１１１までの搬送部１４０の長さが９６０ｍｍとすると、通常出金に要する時間は、１００ｍｓ×（２＋３）枚＋９６０ｍｍ÷１６００ｍｍ／ｓ＝１．１ｓである。
【００６０】
新札を出金する場合、万円札を１００枚、千円札を４枚繰り出す。新札の出金に要する時間は、１００ｍｓ×（１００＋４）枚＋９６０ｍｍ÷１６００ｍｍ／ｓ＝１１ｓである。比較的きれいな紙幣を出金する場合、万円札を３枚、千円札を４枚繰り出す。比較的きれいな紙幣の出金に要する時間は、１００ｍｓ×（３＋４）枚＋９６０ｍｍ÷１６００ｍｍ／ｓ＝１．３ｓである。
【００６１】
次に、利用者が何らかのキーを押下するのを待ち（ステップＳ４４０）、押下されたキーの判定を行う（ステップＳ４４５）。通常出金キーＢ１が押下された場合は通常繰り出しを行い（ステップＳ４５０）、「新札」キーＢ２、「比較的きれい」キーＢ３が押下された場合は選択繰り出しを行う（ステップＳ４５５）。
【００６２】
前記のいずれかの繰り出し処理により、紙幣が入出金部１１１に収納される。紙幣の繰り出しが完了したら、操作部２０３に、図１５に示すような出金可能紙幣表示画面を表示する。出金可能紙幣表示画面には、入出金部１１１に収納した紙幣の金種と枚数、さらに確認キーＢ４と取消キーＢ５を表示する（ステップＳ４６０）。
【００６３】
出金可能紙幣表示画面を表示したら、いずれかのキーが押下されるのを待ち（ステップＳ４６５）、押下されたキーの判定を行う（ステップＳ４７０）。確認キーが押下された場合は出金処理（ステップＳ４７５）を実行する。出金処理では、シャッタ１１６を開き、利用者に紙幣を受け渡す。また、取消キーがされた場合はキャンセル処理（ステップＳ４８０）を実行する。キャンセル処理では、入出金部１１１に収納されている紙幣を繰り出し、各収納庫１７０、１７１に戻す。
【００６４】
図１０は、図９におけるステップＳ４７０の通常繰り出し処理と、ステップＳ４７５の選択繰り出し処理の流れを示すフローチャートである。
【００６５】
通常繰り出しの場合、制御ユニット２０２は収納庫１７０または収納庫１７１から紙幣を繰り出し（ステップＳ５００）、紙幣を入出金部１１１へ搬送する（ステップＳ５４０）。入出金部１１１に収納された紙幣が、利用者が操作部２０３から入力した金額になったら、繰り出し処理を終了する（ステップＳ５６０）。
【００６６】
選択繰り出しの場合、制御ユニット２０２は収納庫１７０または収納庫１７１から紙幣を繰り出し（ステップＳ５００）、繰り出した紙幣が利用者から指定された損耗状態であるかを判定する（ステップＳ５２０）。繰り出した紙幣が利用者から指定された損耗状態である場合は、入出金部１１１に搬送する（ステップＳ５４０）。繰り出した紙幣が利用者から指定された損耗状態で無い場合は、一時保管庫１２２が満杯であるかを判定し（ステップＳ５３０）、一時保管庫１２２が満杯でなければ、紙幣を一時保管庫１２２に搬送する（ステップＳ５５０）。
【００６７】
また、一時保管庫１２２が満杯の場合は、紙幣を入出金部１１１へ搬送（ステップＳ５４０）する。そして、入出金部１１１に収納された紙幣が、利用者が操作部２０３から入力した金額になったら、繰り出し処理を終了する（ステップＳ５６０）。一時保管庫１２２に収納した紙幣は、後で各収納庫１７０、１７１に戻す。
【００６８】
以上説明した繰り出し処理により、通常繰り出し処理の場合は、収納庫１７０または収納庫１７１から繰り出された紙幣が順に入出金部１１１へ収納される。一方、選択繰り出し処理の場合は、収納庫１７０または収納庫１７１から繰り出された紙幣のうち、利用者が選択した損耗状態の紙幣は入出金部１１１へ搬送され、それ以外の紙幣は一時保管庫１２２へ搬送される。
【００６９】
以上、説明した出金制御処理では、利用者が出金する紙幣の損耗状態を指定した場合に、指定に従って出金を行った場合の所要時間と、出金する紙幣の損耗状態にこだわらず、通常の出金を行った場合の所要時間を表示することにより、時間を要しても所望の損耗状態の紙幣を出金するか、それとも紙幣の損耗状態にはこだわらず、比較的短時間で出金を行うかを、利用者が選択可能となる。
【００７０】
さらに、前記の出金制御処理では、前回の取引から経過した時間が３０秒未満の場合には、利用者に紙幣の損耗状態の選択を行わせないようにしているので、混雑時に利用者の取引時間が長くなることを防ぐ。なお、ここでは前回の取引から経過した時間が３０秒未満の場合に利用者に紙幣の損耗状態の選択をさせないこととしたが、例えば２０秒としたり、６０秒としたり、他の時間にしてもよい。
【実施例２】
【００７１】
本実施例では、出金時に、利用者からの、出金する紙幣の損耗状態に関する要求を入力し、出金に先立ち、前記出金する紙幣の損耗状態に関する要求に沿って出金を実行した場合に要する時間と、前記要求に沿わず、通常の出金を実行した場合に要する時間を表示し、前記要求に沿った出金を実行するか、通常の出金を実行するかを利用者が選択できるだけでなく、出金可能な紙幣の画像を表示することにより、利用者が出金する紙幣の状態を確認して選択することもできる現金自動取引装置の例を説明する。
【００７２】
実施例２におけるＡＴＭ２００の概観、紙幣取扱装置１００の概略構成は、実施例１の現金自動取引装置と同様なので、説明を省略する。
【００７３】
実施例２におけるＡＴＭ２００の機能ブロックは実施例１と同様に図３により示されるが、一部の機能ブロックの機能が異なる。鑑別実行部３０３は、実施例１において説明した機能に加え、鑑別部１２６を通過する紙幣の画像を読み取る機能を持つ。また、紙幣データ記憶部３０７は、実施例１において説明した機能に加え、鑑別実行部３０３が読み取った紙幣の画像を記憶する。その他は実施例１のＡＴＭ２００と同様なので、説明を省略する。
【００７４】
図１２は、実施例２において、紙幣データ記憶部３０７に記憶されるデータの内容を示す説明図である。紙幣データ記憶部３０７は、収納庫１７０に収納された万円札に関する万円庫紙幣データテーブルと、収納庫１７１に収納された千円札に関する千円庫紙幣データテーブルとを記憶している。図示するように、各データテーブルには、実施例１において図４で示したデータに加え、鑑別実行部３０３で読み取った紙幣の画像が記録される。  実施例２のＡＴＭ２００の紙幣装填処理の流れを、図６を用いて説明する。
制御ユニット２０２は、まず、装填回収庫１６０から一時保管庫１２２に紙幣を１枚ずつ繰り出す（ステップＳ１００）。そして、装填回収庫１６０が空になったか否か、一時保管庫１２２が満杯になったか否かを判断する（ステップＳ１１０）。装填回収庫１６０に紙幣が残存しており、かつ、一時保管庫１２２が満杯でなければ、装填回収庫１６０からの紙幣の繰り出しを継続する。
【００７５】
ステップＳ１１０において、装填回収庫１６０が空になったか、あるいは、一時保管庫１２２が満杯になったら、一時保管庫１２２から鑑別部１２６へ紙幣を１枚繰り出し（ステップＳ１２０）、鑑別処理を行う（ステップＳ１３０）。鑑別処理では、鑑別部１２６を通過する紙幣の画像を読み取り、金種や、真偽の鑑別とともに、紙幣の損耗状態の鑑別を行う。  そして、鑑別結果に基づいて、紙幣の画像データと、紙幣の損耗状態を、紙幣データ記憶部３０７の金種に対応する各紙幣データテーブルに記憶し（ステップＳ１４０）、鑑別済みの紙幣を、金種に対応する各収納庫に収納する（ステップＳ１５０）。つまり、各収納庫１７０、１７１には、様々な損耗状態の紙幣が収納される。
【００７６】
次に、一時保管庫１２２が空になったか否かを判断する（ステップＳ１６０）。一時保管庫１２２に紙幣が残存していれば、ステップＳ１２０〜Ｓ１６０の処理を繰り返す。一時保管庫１２２が空になった場合には、装填回収庫１６０が空になったか否かを判断する（ステップＳ１７０）。装填回収庫１６０に紙幣が残存していれば、ステップＳ１００〜Ｓ１７０の処理を繰り返す。装填回収庫１６０が空になった場合には、表示キーデータ記憶部１０８の内容を更新し（ステップＳ１８０）、紙幣装填処理を終了する。
【００７７】
以上説明した紙幣装填処理によって、紙幣データ記憶部３０７に各収納庫１７０、１７１のどこにどのような損耗状態の紙幣が収納されているのかと、各紙幣の画像を記憶することができる。したがって、後述する繰り出し処理時に紙幣データ記憶部３０７を参照することによって、利用者から要求された損耗状態の紙幣を速やかに出金することができる。
【００７８】
実施例２のＡＴＭ２００の入金制御処理の流れを図７を用いて説明する。
制御ユニット２０２は、利用者によって入出金部１１１に紙幣が投入され、入金取引が開始されると（ステップＳ２００）、入出金部１１１から紙幣を順次繰り出し（ステップＳ２１０）、鑑別部１２６を通過する紙幣の画像を読み取り、紙幣の金種や、真偽の鑑別を行うとともに、入金額の計数処理を行う（ステップＳ２２０）。
【００７９】
このとき、真券は、一時保管庫１２２に搬送する（ステップＳ２３０）。また、リジェクト紙幣は、リジェクト庫１６０に搬送され（ステップＳ２３０）、後から入出金部１１１に返却される。そして、入出金部１１１の紙幣が空になったら（ステップＳ２３５）、操作部２０３に計数結果を表示し、利用者からの入金指示を入力する（ステップＳ２４０）。
【００８０】
次に、図６のステップＳ１２０〜Ｓ１６０と同様の処理を行い（ステップＳ２５０〜Ｓ２８５）、表示キーデータ記憶部１０８の内容を更新する（ステップＳ２９０）。そして、入金制御処理を終了する。
【００８１】
以上説明した入金制御処理によって、入金取引時に、先に説明した紙幣装填処理と同様に、各収納庫１７０、１７１のどこにどのような損耗状態の紙幣が収納されているのかと、各紙幣の画像を、紙幣データ記憶部１０７に記憶することができる。
【００８２】
図１３は、実施例２の現金自動取引装置の出金制御処理の流れを示すフローチャートである。利用者が「引き出し」など、出金を伴う取引を選択したときに、制御ユニット２０２が実行する処理である。この処理の少なくとも一部を、紙幣取扱装置１００の制御ユニットが実行するものとしてもよい。
【００８３】
制御ユニット２０２は、操作部２０３に出金金額が入力されると（ステップＳ６００）、取引開始時刻記憶部３１０から今回の取引の開始時刻、取引終了時刻記憶部３１１から前回の取引が終了した時刻を取得し、前回の取引終了から今回の取引開始までに３０秒以上が経過しているかを判定する（ステップＳ６０５）。
【００８４】
前回の取引終了から３０秒以上経過していたら、紙幣データ記憶部３０７から、紙幣の損耗状態と画像を取得して、操作部２０３に表示する（ステップＳ６１０）。なお、ここで表示する画像は、出金する紙幣を選択するキーを兼ねている（以下、紙幣キーと呼ぶ）。
【００８５】
次に、通常の出金に要する時間を実施例１において説明した方法で求め、操作部２０３に表示する（ステップＳ６２０）。さらに、通常出金キーと、選択出金キーを操作部２０３に表示する（ステップＳ６２５）。また、前回の取引終了から経過した時間が３０秒未満の場合は、通常出金キーのみを表示する（ステップＳ６１５）。ステップＳ６１０、ステップＳ６２０、ステップＳ６２５により表示される、出金紙幣選択画面を図１６に示す。
【００８６】
図１６は、万円札を選択する画面である。前記通常出金キーはＢ６、前記選択出金キーはＢ７、前記紙幣キーはＢ１１〜Ｂ２２である。紙幣キーＢ１１〜Ｂ２２は前述のとおり、紙幣の画像である。図１６では、各紙幣の表の画像と裏の画像を上下に並べて表示している。紙幣キーＢ１１〜Ｂ２２は、利用者が選択した紙幣は枠で縁取りされて表示される。最初は、どの紙幣も縁取りされていない。
【００８７】
ここで、利用者が紙幣キーＢ１３またはＢ１４を押下すると、図１６に示すように、紙幣キーＢ１３またはＢ１４が枠で縁取りされる。再度紙幣キーＢ１３またはＢ１４を押下すると、選択は解除され、縁取りは消える。選択できる紙幣は、出金金額で入力された金額までである。このような手順で、出金する紙幣を選択する。
【００８８】
キーＢ９とキーＢ１０は、紙幣の画像が一画面に表示できない場合に、前の画面、次の画面に切り替えるためのキーである。また、キーＢ８は、表示する金種を切り替えるためのキーである。例えば、図１６の状態でキーＢ８が押下されたら、画面に表示する画像を収納庫１７１に収納されている千円札のものに切り替える。
【００８９】
前述のように、いずれかの紙幣キーが押下された場合（ステップＳ６７０）、出金対象の紙幣を変更し、出金に要する時間を求め直し、操作部２０３に表示した出金所要時間を更新する（ステップＳ６７５）。利用者はこの操作を繰り返すことにより、操作部２０３に表示された紙幣の画像を確認しながら、出金する紙幣を選択できる。また、紙幣を選択するたびに操作部２０３に表示されている出金所要時間が更新されるため、出金所要時間も紙幣を選択するか否かの判断材料とすることができる。
【００９０】
通常出金キーを押下された場合は（ステップＳ６３０）、通常繰り出し処理を実行する（ステップＳ６３５）。通常出金キーが押下された場合、利用者が紙幣キーを押下して出金する紙幣を選択していたとしても、その選択は無効とする。また、ステップＳ６０５において、前回の取引終了から３０秒未満と判定されていた場合は、操作部２０３には通常出金キーしか表示されていないので、必ず通常出金が実行される。
【００９１】
選択出金キーを押下された場合は（ステップＳ６４０）、選択繰り出し処理を実行し（ステップＳ６４５）、入出金部１１１に収納した紙幣の画像と、確認キーと、取消キーを操作部２０３に表示する（ステップＳ６５０）。確認キーが押下されたら（Ｓ６５５）、出金処理を実行し（ステップＳ６６０）、取り消しキーが押下されたら（ステップＳ６５５）、キャンセル処理を実行する（ステップＳ６６５）。
なお実施例２の現金自動取引装置の繰り出し処理は、実施例１と同様なので、説明を省略する。
【００９２】
以上説明した出金制御処理により、利用者が出金する紙幣の画像を見て選択することができるので、より利用者の要望に沿った状態の紙幣を出金することが可能である。また、利用者が出金に要する時間も考慮しながら紙幣を選択することが可能である。さらに、利用者が紙幣の選択を希望しない場合は、速やかに通常出金を選択することができる。
（変形例）
Ａ：変形例１
ここでは本発明の変形例について説明する。本変形例では、前回の取引から３０秒経過する前に次の取引があった場合であっても、紙幣の消耗状態に関する要求に沿った出金を行うことができる現金自動取引装置の例につて説明する。なお、現金自動取引装置についての構成は上記した実施例１および実施例２と同じであるため、説明を省略する。また、入金制御処理については実施例１と同様であるため説明を省略する。
【００９３】
本変形例の出金制御処理について図１７を用いて説明する。
制御ユニット２０２は、操作部２０３に出金金額が入力されると（ステップＳ７００）、表示キーデータ記憶部３０８から表示キーデータを取得する（ステップＳ７０５）。そして、「「新札」キー表示」、「「比較的きれい」キー表示」のいずれかが「あり」であれば（Ｓ７１０）、利用者が出金する紙幣の損耗状態を指定した場合の出金に要する時間と、紙幣の損耗状態にこだわらず、通常の出金を行った場合に要する時間を求める（ステップＳ７１５）。出金に必要な時間の算出については、実施例１と同様であるため、説明を省略する。  次に、算出した出金所要時間が予め定めた選択出金を許容する閾値（選択出金許容時間）以内であれば（Ｓ７２０）、次に、対応するキーと、出金に要する時間を表示し（ステップＳ７２５）、さらに通常出金キーを表示する（ステップＳ７３０）。なお、当該閾値は係員が予め定めた値を用いてもよいし、取引開示時刻記憶部３１０と取引終了時刻記憶部３１１とから取得した時刻を用いて設定してもよい。
【００９４】
また、表示キーデータがいずれも「あり」でない場合や（ステップＳ７１０：Ｎｏ）、出金所要時間が閾値よりも大きい場合は（ステップＳ７２０：Ｎｏ）、紙幣の消耗状態の選択を行わせないこととし、通常出金キーのみを表示する（ステップＳ７３０）。
【００９５】
ステップＳ７３５以降の処理は実施例１の出金制御処理と同様であるため、説明を省略する。
【００９６】
以上説明した出金制御処理を行う事により、利用者がＡＴＭを利用する間隔が短い場合であっても、利用者の要求する出金金額と紙幣データテーブルの状態によって出金所要時間が短い場合には、利用者の要望に沿った状態の紙幣を出金することが可能となり利便性が向上する。
Ｂ：変形例２
本変形例では、収納庫に収納されている紙幣の入れ替え動作について説明する。なお、現金自動取引装置についての構成は上記した実施例１および実施例２と同じであるため、説明を省略する。また、入金制御処理については実施例１と同様であるため説明を省略する。
【００９７】
本変形例の紙幣入替処理について、図１８を用いて説明する。
現金自動取引装置は、取引処理が所定時間行われないなど空き時間が発生した場合や予め設定した時刻となる場合などの一定の条件の下で収納庫に収納された紙幣を損耗状態に応じて順番を入れ替える紙幣入替処理を行う。なお、本変形例では収納庫１７０に収納された紙幣の入替処理を説明するが、他の収納庫でも同様の入替処理が行えることは言うまでもない。
【００９８】
紙幣入替処理が始まると、収納庫１７０から紙幣を繰り出し（ステップＳ８００）、鑑別処理を行う（ステップＳ８１０）。その際、鑑別結果によって紙幣の搬送先を決定する。本変形例では紙幣の損耗状態が「Ｓ」であれば紙幣入出金口２００に搬送し（ステップＳ８１１）、それ以外の紙幣は一時保管庫１２２へ搬送する（ステップＳ８１２）。収納庫１７０の紙幣を全て搬送し、紙幣入出金口２００または一時保管庫１２２へと収納した後、紙幣の損耗度が悪い一時保管庫１２２の紙幣を収納庫１７０へ搬送し（ステップＳ８２０）、鑑別処理を行う（ステップＳ８３０）。鑑別処理では、金種や、真偽の鑑別とともに、紙幣の損耗状態の鑑別を行う。
【００９９】
そして、鑑別結果に基づいて、紙幣の損耗状態を、紙幣データ記憶部１０７の金種に対応する各紙幣データテーブルに記憶し（ステップＳ８４０）、鑑別済みの紙幣を、金種に対応する収納庫１７０に収納する（ステップＳ８５０）。この動作を一時保管庫１２２に収納された紙幣が無くなるまで繰り返し行う（ステップＳ８５５）。次に紙幣入出金口２００に収納された紙幣に対しても一時保管庫１２２に収納された紙幣と同様の動作を行う（ステップＳ８６０〜ステップＳ８９５）。
【０１００】
以上の紙幣入替処理を行うことで収納庫１７０には、図１９に示すように損耗状態のより紙幣がまとまって収納され、入替処理後に出金を行う場合に損耗状態のよい紙幣から出金動作を行うことが可能となる。なお、本変形例では損耗状態が「Ｓ」の紙幣を分離し、入れ替え処理を行ったが、これに限らず「Ｓ」と「Ａ」が混在した状態で紙幣を分離し入れ替え動作を行うことや、「Ｓ」、「Ａ」、「Ｂ」の損耗状態の紙幣を完全に分けて収納庫１７０に収納するようにしてもよい。
【０１０１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない、また、ある実施例の構成の一部を他の実施例の構成に置き換えることも可能であり、また、ある実施例の構成に他の実施例の構成を加える事も可能である。
【符号の説明】
【０１０２】
１００  紙幣取扱装置
１１０  上部ユニット
１２２  一時保管庫
１２６  鑑別部
１４０  搬送部
１４１、１４２、１４３  ゲート
１４５  通過センサ
１５０  金庫部
１６０  装填回収庫（リジェクト庫）
１７０  収納庫（万円庫）
１７１  収納庫（千円庫）
１６０Ａ、１７０Ａ、１７１Ａ  押板
２００  現金自動取引装置
２０２  制御ユニット
２０３  操作部
２０４  通帳取扱機構
２０５  カード取扱機構
２０６  明細票発行機構
２０７  紙幣入出金口
２１０  表示パネル
３０１  主制御部
３０２  通信部
３０３  鑑別実行部
３０４  入出金制御部
３０５  インタフェース制御部
３０６  カード、通帳取扱制御部
３０７  紙幣データ記憶部
３０８  表示キーデータ記憶部
３０９  時計部
３１０  取引開始時刻記憶部
３１１  取引終了時刻記憶部
４００  ホストコンピュータ
Ｂ１  通常出金キー
Ｂ２  「新札」キー
Ｂ３  「比較的きれい」キー
Ｂ４  確認キー
Ｂ５  取消キー
Ｂ６  通常出金キー
Ｂ７  選択出金キー
Ｂ８  金種切替キー
Ｂ９  前画面切替キー
Ｂ１０  次画面切替キー
Ｂ１１〜Ｂ２２  紙幣キー
【図１】
2013242628.tif 000003
【図２】
2013242628.tif 000004
【図３】
2013242628.tif 000005
【図４】
2013242628.tif 000006
【図５】
2013242628.tif 000007
【図６】
2013242628.tif 000008
【図７】
2013242628.tif 000009
【図８】
2013242628.tif 000010
【図９】
2013242628.tif 000011
【図１０】
2013242628.tif 000012
【図１１】
2013242628.tif 000013
【図１２】
2013242628.tif 000014
【図１３（ａ）】
2013242628.tif 000015
【図１３（ｂ）】
2013242628.tif 000016
【図１４】
2013242628.tif 000017
【図１５】
2013242628.tif 000018
【図１６】
2013242628.tif 000019
【図１７】
2013242628.tif 000020
【図１８】
2013242628.tif 000021
【図１９】
2013242628.tif 000022